(57)【要約】  【課題】使用時には袋体の側面を枠体で支持して立設させてペットが中に入って排泄した糞尿等を糞尿処理材が吸収するトイレにすることができ、使用後には使用済みの糞尿処理材を枠体や袋体と一緒にして廃棄することができ使用性に優れ、また、枠体と枠体に貼着された袋体とで構成されているので、軽量にでき搬送性に優れるペット用トイレを提供することを目的とする。  【解決手段】本発明は、筒状に形成された枠体と、前記枠体の内壁又は外壁に開口部側の外面又は内面が貼着された側面を有し内面側に糞尿処理材が収容される袋体と、を備える。  【選択図】図１
2005176715.tif 000002
【特許請求の範囲】
【請求項１】
筒状に形成された枠体と、前記枠体の内壁又は外壁に開口部側の外面又は内面が貼着された側面を有し内面側に糞尿処理材が収容される袋体と、を備えていることを特徴とするペット用トイレ。
【請求項２】
前記枠体が、相対向して縦方向に形成された一対の第１折目を備え、
前記袋体の前記側面が、前記枠体の前記第１折目の延長上に前記袋体が折畳まれた際に前記枠体の下端縁とのなす角θが３０〜６０°好ましくは４０〜５０°に形成される第２折目を備えていることを特徴とする請求項１に記載のペット用トイレ。
【請求項３】
前記袋体が、（ａ）頂角を挟む２辺の長さが等しい二等辺三角形の２枚のフィルム状又はシート状で形成され、前記二等辺三角形の前記２辺の各々が互いに接着され若しくは溶着され又は一体に形成されて前記第２折目を形成し、前記二等辺三角形の底辺で形成される開口部が前記枠体に貼着されている、又は、（ｂ）一つの角を挟む２辺の長さが等しく前記一つの角に対向する他の角を挟む他の２辺の長さが等しい四角形の２枚のフィルム状又はシート状で形成され、前記四角形の前記２辺の各々が互いに接着され若しくは溶着され又は一体に形成されて前記第２折目を形成し、前記四角形の前記他の２辺で形成される開口部が前記枠体に貼着されていることを特徴とする請求項２に記載のペット用トイレ。
【請求項４】
前記枠体が、前記第１折目の間に縦方向に形成され前記第１折目とともに拡開すると前記枠体の平面形状が四角形状にされる一対の第３折目を備えていることを特徴とする請求項２又は３に記載のペット用トイレ。
【請求項５】
前記袋体の前記側面と一体に形成された、若しくは前記側面に延設された、又は前記側面が伸縮性を有するゴム製等で形成された収納部を備えていることを特徴とする請求項２乃至４の内いずれか１に記載のペット用トイレ。
【請求項６】
前記枠体が、前記第１折目と前記第３折目との間に縦方向に形成された第４折目を備えていることを特徴とする請求項２乃至５の内いずれか１に記載のペット用トイレ。
【請求項７】
前記袋体に糞尿処理材が収納されていることを特徴とする請求項１乃至６の内いずれか１に記載のペット用トイレ。
【発明の詳細な説明】
【技術分野】
【０００１】
本発明は、猫，犬等のペットが内側に収容された糞尿処理材の上で排泄を行うことのできるペット用トイレに関するものである。
【背景技術】
【０００２】
従来より、猫、犬等のペットの尿等を吸収可能な糞尿処理材を収容したペット用トイレが開発されている。ペットはペット用トイレ内に入って糞尿処理材の上で排泄を行い、糞尿処理材が尿等の排泄物を吸収するものである。
従来の技術としては、例えば（特許文献１）に「床部と側壁とを有する外側収容箱と、前記外側収容箱に密接収容され前記外側収容箱から取り出して使い捨て可能な内箱と、を備えた猫用トイレ箱」が開示されている。
【特許文献１】特表２００２−５３２０７６号公報
【発明の開示】
【発明が解決しようとする課題】
【０００３】
しかしながら上記従来の技術においては、以下のような課題を有していた。
（１）（特許文献１）に開示の技術は、床部と側壁とを有する長期間の使用が可能な外側収容箱を有しているのでコンパクト化できず、未使用時には広い保管場所を要し、またペットと一緒に旅行するため携帯しなければならない場合には嵩張るため携帯性に欠けるという課題を有していた。
（２）外側収容箱は繰り返し使用するので、清潔に保つために定期的に洗浄しなければならない。洗浄するために比較的広い場所が必要であり、人の生活空間を清潔に保つために専用のペット用流し台等が必要になるという課題を有していた。
（３）専用のペット用流し台等を有していない住宅の場合は、人が使用する浴室等で洗浄することになり、浴室内の清潔性が低下するおそれがあるという課題を有していた。
（４）外側収容箱を洗浄したり乾燥させたりするのに手間がかかり、また洗浄する際に比較的大量の水を必要とするという課題を有していた。
【０００４】
本発明は上記従来の課題を解決するもので、使用時には袋体の側面を枠体で支持して立設させてペットが中に入って排泄した糞尿等を糞尿処理材が吸収するトイレにすることができ、使用後には使用済みの糞尿処理材を枠体や袋体と一緒にして廃棄することができ洗浄したり乾燥させたりする手間を一切必要とせず使用性に優れ、また軽量にでき携帯性に優れるペット用トイレを提供することを目的とする。
【課題を解決するための手段】
【０００５】
上記従来の課題を解決するために本発明のペット用トイレは、以下の構成を有している。
本発明の請求項１に記載のペット用トイレは、筒状に形成された枠体と、前記枠体の内壁又は外壁に開口部側の外面又は内面が貼着された側面を有し内面側に糞尿処理材が収容される袋体と、を備えた構成を有している。
この構成により、以下のような作用が得られる。
（１）筒状に形成された枠体と、枠体に側面が貼着された袋体と、を有しているので、使用時には袋体の側面を枠体で支持して立設させることができ、袋体の内面側に糞尿処理材を収容することで、ペットが中に入って排泄した糞尿等を糞尿処理材が吸収するトイレにすることができ、使用後には、使用済みの糞尿処理材を枠体や袋体と一緒にして廃棄することができ使用性に優れる。
（２）枠体と枠体に貼着された袋体とで構成されているので、軽量にすることができるとともに小さく折畳むことでコンパクト化でき携帯性に優れる。
【０００６】
ここで、枠体としては、ボール紙，段ボール等の板紙製，合成樹脂製等の薄板で形成されたものが用いられる。なかでも、板紙製、ポリプロピレン製，ポリエステル製等の塩素を含有しない可燃性合成樹脂製で形成されたものが好適に用いられる。枠体の焼却時にダイオキシン類が発生するおそれがなく環境保全性に優れるからである。また、ヒドロキシブチレート系ポリエステル等の微生物が生産する高分子、セルロースやでん粉等の植物由来やキチン等の動物由来の天然高分子や合成高分子等の生分解性プラスチック製も好適に用いられる。廃棄物を微生物が分解して生態系に取り込むことができ、ゴミの減容化を図ることができるからである。
【０００７】
枠体の平面形状としては、円形，楕円形等の略円形、三角形，四角形等の多角形、両端が尖った円形の紡錘状、動物，花，家等を模った形状や星型，三日月型等の種々の形状等に形成されたものが用いられる。
枠体は、下端縁から上端縁に向かって、又は、上端縁から下端縁に向かって拡径して形成されたものが好適に用いられる。複数の枠体を積み重ね可能にできるからである。
枠体に、上端縁から下端縁に渡って１乃至複数箇所に連結部を有するミシン目、薄肉状に形成されたハーフカット等の薄肉部等を形成しておくのが好ましい。使用後はミシン目や薄肉部等で枠体を切断し、枠体の嵩を小さくして廃棄物を減容できるからである。
【０００８】
枠体の高さとしては、５〜３０ｃｍ好ましくは８〜１５ｃｍが好適に用いられる。枠体の高さが８ｃｍより低くなるにつれ内側に収容できる糞尿処理材の量が少なくなり吸収できる糞尿等の量が少なくなる傾向がみられるとともに、糞尿処理材が枠体の外に飛び散り易くなる傾向がみられる。猫等は糞尿の排泄後に足で糞尿処理材を蹴って糞尿を埋めようとする習性があるからである。１５ｃｍより高くなるにつれ猫等のペットが乗り越えて中に入り難くなる傾向がみられる。特に、５ｃｍより低くなるか３０ｃｍより高くなるにつれ、これらの傾向が著しいためいずれも好ましくない。
なお、糞尿処理材が枠体の外に飛び散るのを防ぐために枠体の高さを２０〜３０ｃｍ程度に高くした場合は、枠体の所定部にペットが自由に出入りできるように形成された扉を設けるか、枠体の上端縁の一部を低く切り下げることにより、トイレ内にペットが入り難くなるのを防止できる。
【０００９】
枠体の外周長さとしては、８０〜２４０ｃｍ好ましくは１２０〜１８０ｃｍが好適に用いられる。外周長さが１２０ｃｍより短くなるにつれ糞尿処理材を収容できる面積が狭く猫等のペットが入り難くなる傾向がみられ、１８０ｃｍより長くなるにつれ枠体が大型化し保管性や携帯性が低下する傾向がみられる。特に、８０ｃｍより短くなるか２４０ｃｍより長くなるにつれ、これらの傾向が著しいためいずれも好ましくない。
【００１０】
袋体としては、通液性を有さないフィルム状やシート状で形成されたものが用いられ、例えば、ポリエチレン，ポリプロピレン，ポリエステル，ポリアミド等の合成樹脂製、撥水加工された紙製等で形成されたものが用いられる。
【００１１】
また、袋体に複数の切れ目部や孔部を形成したり、袋体を網状で形成することもできる。切れ目部や孔部の開口寸法や網状の目開き寸法としては、収容される糞尿処理材の粒径よりも大きめに形成されたものが用いられる。これにより、切れ目部や孔部等を有する袋体を篩のように用いることで、糞尿処理材と糞尿の水分とが接触して固化した塊状体を袋体内に残し、切れ目部等の開口寸法等よりも外形寸法の小さな塊状化していない糞尿処理材だけを切れ目部等を通過させることができるので、切れ目部等を通過した糞尿と未接触の糞尿処理材を無駄なく再び使用することができ省資源性に優れる。また、糞尿と未接触の糞尿処理材を再び使用することができるので、ペットと一緒の旅行等の外出先に持参する糞尿処理材の量を少なくすることができ携帯性を高めることができる。
なお、この場合は、切れ目部等が形成されていない袋体を有するペット用トイレで、切れ目部等を備えた袋体を有するペット用トイレを被覆して用いる。ペットの糞尿や糞尿処理材が切れ目部等からペット用トイレの外に漏れるのを防止するためである。
【００１２】
袋体は、接着剤や粘着テープ等を用いたり、熱溶着等によって枠体に貼着させることができる。
【００１３】
糞尿処理材としては、ペットが排泄した糞尿の悪臭を除去したり糞尿を固化させて掃除を簡便に行うために、紙製、おが屑等の木製、ベントナイト，シリカゲル，ゼオライト等の無機材料、おから等の食品廃棄物、石炭灰等の産業廃棄物等で粒状や砂状等に形成されたものが用いられる。
【００１４】
なお、ペットとしては、各家庭で飼育されたりペット販売店等で取り扱われる猫，犬，ハムスター，モルモツト，兎，ねずみ，りす，猿等が挙げられる。
【００１５】
本発明の請求項２に記載の発明は、請求項１に記載のペット用トイレであって、前記枠体が、相対向して縦方向に形成された一対の第１折目を備え、前記袋体の側面が、前記枠体の前記第１折目の延長上に前記袋体が折畳まれた際に前記枠体の下端縁とのなす角θが３０〜６０°好ましくは４０〜５０°に形成される一対の第２折目を備えた構成を有している。
この構成により、請求項１で得られる作用に加え、以下のような作用が得られる。
（１）枠体に第１折目が形成されているので、枠体を折畳んで扁平状にして枠体を平面状にすることができ嵩を小さくできるので保管性や携帯性に優れる。
（２）袋体が扁平状に折畳まれた際に枠体の下端縁とのなす角θが３０〜６０°好ましくは４０〜５０°に形成される一対の第２折目が枠体の第１折目の延長上に貼着されているので、使用時に枠体を広げて床に載置すると、袋体の側面が床に当接する底面を形成して底面の縁部に枠体が立設した状態になる。底面の縁部に立設した枠体は、収容された糞尿処理材によって拘束され閉じ難くなるので、第１折目の下端部を中心にして６０〜１２０°好ましくは８０〜１００°の角度で広がった状態を保ち、枠体を床の上に安定して自立させることができる。
【００１６】
ここで、第１折目としては、ミシン目やヒンジ状に形成された薄肉部等を備えたものを用いることができる。また、折り目上に不連続に形成された折り目打ち抜き部又は折り目切り込み線を備えたものを用いることができる。これにより、第１折目の折り曲げを容易に行うことができ作業性に優れる。
なお、枠体を拡開したときの第１折目を跨いで、枠体に棒状や板状等の補強部材を配設固定することもできる。これにより、床面に載置した際に広げた枠体が閉じたり変形してしまうのを防止することができる。
【００１７】
袋体に形成された第２折目と枠体の下端縁とのなす角θの角度としては、３０〜６０°好ましくは４０〜５０°に形成される。第２折目と枠体の下端縁とのなす角θが４０°より小さくなるにつれ第１折目の下端部を中心にした枠体の広がりが小さく倒れ易く安定性に欠ける傾向がみられ、５０°より大きくなるにつれ第１折目の下端部を中心にした枠体の広がりが大きく倒れ易く安定性に欠ける傾向がみられる。特に、３０°より小さくなるか６０°より大きくなると、これらの傾向が著しいためいずれも好ましくない。
【００１８】
なお、枠体の平面形状としては、一対の第１折目によって形成される２つの頂点を有する形状であれば特に限定されるものではなく、三角形，四角形等の多角形、両端が尖った円形の紡錘状等に形成されたものを用いることができる。
【００１９】
本発明の請求項３に記載の発明は、請求項２に記載のペット用トイレであって、前記袋体が、（ａ）頂角を挟む２辺の長さが等しい二等辺三角形の２枚のフィルム状又はシート状で形成され、前記二等辺三角形の前記２辺の各々が互いに接着され若しくは溶着され又は一体に形成されて前記第２折目を形成し、前記二等辺三角形の底辺で形成される開口部が前記枠体に貼着されている、又は、（ｂ）一つの角を挟む２辺の長さが等しく前記一つの角に対向する他の角を挟む他の２辺の長さが等しい四角形の２枚のフィルム状又はシート状で形成され、前記四角形の前記２辺の各々が互いに接着され若しくは溶着され又は一体に形成されて前記第２折目を形成し、前記四角形の前記他の２辺で形成される開口部が前記枠体に貼着されている構成を有している。
この構成により、請求項３に記載の作用に加え、以下のような作用が得られる。
（１）袋体が、頂角を挟む２辺の長さが等しい２枚の二等辺三角形、又は、一つの角を挟む２辺の長さが等しく対向する他の角を挟む他の２辺の長さが等しい２枚の四角形のフィルム状又はシート状で形成されているので、容易に製造することができ生産性に優れる。
（２）２枚の二等辺三角形で形成された袋体は、枠体を広げたときに頂角の近傍に収納部として機能する部分を形成させることができ、又、２枚の四角形で形成された袋体は、枠体を広げたときに略四角錐状に広げることができるので、糞尿処理材の収容量を増やすことができる。
【００２０】
ここで、２枚のフィルム状又はシート状の各々の形状は、頂角を挟む２辺の長さが等しい二等辺三角形、一つの角を挟む２辺の長さが等しく対向する他の角を挟む他の２辺の長さが等しい四角形に形成することができるが、特に二等辺三角形に形成されたものが好適に用いられる。完全な扁平状に折畳むことができ携帯性及び保管性に優れるからである。
【００２１】
本発明の請求項４に記載の発明は、請求項２又は３に記載のペット用トイレであって、前記枠体が、前記第１折目の間に縦方向に形成され前記第１折目とともに拡開すると前記枠体の平面形状が四角形状にされる一対の第３折目を備えた構成を有している。
この構成により、請求項２又は３で得られる作用に加え、以下のような作用が得られる。
（１）枠体が夫々相対向した第１折目及び第３折目を備えているので、枠体を四角形状に拡開することができ、ペットが枠体を蹴飛ばしても倒れ難く安定に自立させることができる。
（２）枠体を四角形状に大きく開口させて広げることができるので、ペットの出入りが容易で、かつ、多くの糞尿処理材を収容させて多量の糞尿を吸収させることができる。
【００２２】
ここで、第３折目としては、相対向する第１折目の間の枠体に、第１折目と平行に形成されたものが用いられる。第３折目を形成する位置と、枠体の下端縁と袋体に形成された第２折目とのなす角θとの関係によって、拡開した枠体の平面形状を矩形状、方形状、菱形状等にすることができる。
なお、第３折目も、請求項２で説明した第１折目と同様のものを用いることができるが、ここでは説明を省略する。
【００２３】
本発明の請求項５に記載の発明は、請求項２乃至４の内いずれか１に記載のペット用トイレであって、前記袋体の前記側面と一体に形成された、若しくは前記側面に延設された、又は前記側面が伸縮性を有するゴム製等で形成された収納部を備えた構成を有している。
この構成により、請求項２乃至４の内いずれか１で得られる作用に加え、以下のような作用が得られる。
（１）袋体が収納部を備えているので、使用前のペット用トイレの袋体の中に糞尿処理材を入れて袋体及び枠体を折畳んだときに、多量の糞尿処理材を収納部内に収納することができる。使用時に枠体及び袋体を広げて床に載置し、袋体の側面を床に当接する底面にして底面の縁部に枠体が立設した状態にしたとき、収納部に収納された多量の糞尿処理材が底面に所定の厚さで広がるので、底面の縁部に立設した枠体を糞尿処理材によって拘束して閉じ難くすることができ、枠体を床の上に安定して自立させることができる。これにより、保管時には折畳んだ状態で多量の糞尿処理材を収納させることができるので、使用時に広げるだけで、十分な量の糞尿処理材が収容されたペット用トイレを形成することができる。
【００２４】
ここで、収容部としては、袋体の側面の下方や側方に延設されたもの、袋体の側面が伸縮性を有するゴム製等で形成されたもの等が用いられる。
収容部の容積としては、枠体及び袋体を広げてして床に載置する場合に、袋体の側面を床に当接する底面にして枠体を底面の縁部に立設した状態にしたとき、枠体の高さの１／５〜１／２の高さになる量の糞尿処理材が収納される容積が用いられ、枠体の高さをＨ、拡開した枠体の開口面積をＰとしたとき、Ｈ×Ｐ×１／５〜Ｈ×Ｐ×１／２が好適に用いられる。
ここで、収容部の容積が、Ｈ×Ｐ×１／５より小さくなるにつれ糞尿処理材の量が少なく床に立設した枠体が拘束され難く倒れたり閉じ易くなる傾向がみられ安定性に欠け、Ｈ×Ｐ×１／２より大きくなるにつれペットが中に入って排泄等を行うときに糞尿処理材が枠体の外に飛び出し易くペット用トイレの周囲に散乱し汚れ易くなる傾向がみられるため、いずれも好ましくない。
【００２５】
本発明の請求項６に記載の発明は、請求項２乃至５の内いずれか１に記載のペット用トイレであって、前記枠体が、前記第１折目と前記第３折目との間に縦方向に形成された第４折目を備えた構成を有している。
この構成により、請求項２乃至５の内いずれか１で得られる作用に加え、以下のような作用が得られる。
（１）枠体に第４折目が形成されているので、枠体を折畳んでよりコンパクトにすることができ保管性や携帯性に優れる。
【００２６】
第４折目も、請求項２で説明した第１折目と同様のものを用いることができるが、ここでは説明を省略する。
【００２７】
本発明の請求項７に記載の発明は、請求項１乃至６の内いずれか１に記載のペット用トイレであって、前記袋体に糞尿処理材が収納された構成を有している。
この構成により、請求項１乃至６の内いずれか１で得られる作用に加え、以下のような作用が得られる。
（１）袋体に糞尿処理材が収納されているので、使用時に枠体を広げて床に載置するだけですぐに使用できる状態になり、別に糞尿処理材を準備する必要がなく使用性に優れる。
【００２８】
ここで、収納された糞尿処理材の量としては、枠体の高さをＨ、広げた枠体の開口面積をＰとしたとき、Ｈ×Ｐ×１／５〜Ｈ×Ｐ×１／２が好適に用いられる。糞尿処理材の量が、Ｈ×Ｐ×１／５より少なくなるにつれ吸収できるペットの糞尿の量が少ないとともに、床に立設した枠体が拘束され難く倒れたり閉じ易くなる傾向がみられ安定性に欠け、Ｈ×Ｐ×１／２より多くなるにつれペットが中に入って排泄等を行うときに糞尿処理材が枠体の外に飛び出し易くペット用トイレの周囲に散乱し汚れ易くなる傾向がみられるため、いずれも好ましくない。
【発明の効果】
【００２９】
以上のように、本発明のペット用トイレによれば、以下のような有利な効果が得られる。
請求項１に記載の発明によれば、
（１）筒状に形成された枠体と、枠体に側面が貼着された袋体と、を有しているので、使用時には袋体の側面を枠体で支持して立設させることができ、袋体の内面側に糞尿処理材を収容しておくことで、ペットが中に入って排泄した糞尿等を糞尿処理材が吸収するトイレにすることができ、使用後には、使用済みの糞尿処理材を枠体や袋体と一緒にして廃棄することができ使用性に優れたペット用トイレを提供することができる。
（２）枠体と枠体に貼着された袋体とで構成されているので、軽量にすることができるとともに小さく折畳むことでコンパクト化でき携帯性に優れたペット用トイレを提供することができる。
【００３０】
請求項２に記載の発明によれば、請求項１の効果に加え、
（１）枠体に第１折目が形成されているので、枠体を折畳んで扁平状にして枠体を平面状にすることができ嵩を小さくできるので保管性や携帯性に優れたペット用トイレを提供することができる。
（２）袋体が扁平状に折畳まれた際に枠体の下端縁とのなす角θが３０〜６０°好ましくは４０〜５０°に形成される一対の第２折目が枠体の第１折目の延長上に貼着されているので、使用時に枠体及び袋体を広げて床に載置すると、袋体の側面が床に当接する底面を形成して底面の縁部に枠体が立設した状態になり、底面の縁部に立設した枠体は、収容された糞尿処理材によって拘束され閉じ難くなるので、第１折目の下端部を中心にして６０〜１２０°好ましくは８０〜１００°の角度で広がった状態を保ち、枠体を床の上に安定して自立させることができ安定性に優れたペット用トイレを提供することができる。
【００３１】
請求項３に記載の発明によれば、請求項２の効果に加え、
（１）袋体が、頂角を挟む２辺の長さが等しい２枚の二等辺三角形、又は、一つの角を挟む２辺の長さが等しく対向する他の角を挟む他の２辺の長さが等しい２枚の四角形のフィルム状又はシート状で形成されているので、容易に製造することができ生産性に優れたペット用トイレを提供することができる。
（２）２枚の二等辺三角形で形成された袋体は、枠体を広げたときに頂角の近傍に収納部として機能する部分を形成させることができ、又、２枚の四角形で形成された袋体は、枠体を広げたときに略四角錐状に広げることができるので、多量の糞尿処理材が収容できるペット用トイレを提供することができる。
【００３２】
請求項４に記載の発明によれば、請求項２又は３の効果に加え、
（１）枠体が夫々相対向した第１折目及び第３折目を備えているので、枠体を四角形状に拡開させることができ、ペットが枠体を蹴飛ばしても倒れ難く安定に自立させることができ安定性に優れたペット用トイレを提供することができる。
（２）枠体を四角形状に大きく開口させて広げることができるので、ペットの出入りが容易で、かつ、多くの糞尿処理材を収容させることができ多量の糞尿を吸収することができ吸収能に優れたペット用トイレを提供することができる。
【００３３】
請求項５に記載の発明によれば、請求項２乃至４の内いずれか１の効果に加え、
（１）袋体の側面に収納部が延設等されているので、使用前のペット用トイレの袋体の中に糞尿処理材を入れて袋体及び枠体を折畳んだときに、多量の糞尿処理材を収納部内に収納することができる。使用時に枠体及び袋体を広げて床に載置し、袋体の側面を床に当接する底面にして底面の縁部に枠体が立設した状態にしたとき、収納部に収納された多量の糞尿処理材が底面に所定の厚さで広がるので、底面の縁部に立設した枠体を糞尿処理材によって拘束して閉じ難くすることができ、枠体を床の上に安定して自立させることができる。これにより、保管時には折畳んだ状態で多量の糞尿処理材を収納させることができるので、使用時に広げるだけで、十分な量の糞尿処理材が収容されたペット用トイレを形成することができ使用性に優れたペット用トイレを提供することができる。
【００３４】
請求項６に記載の発明によれば、請求項２乃至５の内いずれか１の効果に加え、
（１）枠体に第４折目が形成されているので、枠体を折畳んでよりコンパクトにすることができ保管性や携帯性に優れたペット用トイレを提供することができる。
【００３５】
請求項７に記載の発明によれば、請求項１乃至６の内いずれか１の効果に加え、
（１）袋体に糞尿処理材が収納されているので、使用時に枠体を広げて床に載置するだけですぐに使用できる状態にでき、別に糞尿処理材を準備する必要がなく使用性に優れたペット用トイレを提供することができる。
【発明を実施するための最良の形態】
【００３６】
以下、本発明を実施するための最良の形態を、図面を参照しながら説明する。
（実施の形態１）
図１は実施の形態１におけるペット用トイレの枠体を広げた状態を示す斜視図であり、図２は図１のペット用トイレの平面図であり、図３は枠体を折畳んだ状態を示すペット用トイレの平面図である。
図中、１は実施の形態１におけるペット用トイレ、２は板紙や合成樹脂製の薄板等で筒状に形成された枠体、２ａは枠体２の内壁、２ｂは枠体２の外壁、２ｃは枠体２の下端縁、３は合成樹脂製や撥水加工がされた紙製等で通液性を有さないフィルム状やシート状に形成され枠体２の内壁２ａ又は外壁２ｂに開口部側の外面又は内面が貼着された袋体である。なお、本実施の形態においては、袋体３は、頂角を挟む２辺の長さが等しい二等辺三角形の２枚のフィルム状又はシート状で形成され、２辺の各々が互いに接着され若しくは溶着され又は一体に形成されて袋状に形成されている。４は枠体２に貼着された袋体３の側面、５，５は枠体２に相対向して縦方向にミシン目等で形成された一対の第１折目、６，６は袋体３の側面４に形成され枠体２の第１折目５の延長上に形成された第２折目であり、本実施の形態においては、袋体３を形成した二等辺三角形の頂角を挟む長さの等しい２辺で形成されている。θは枠体２が第１折目５で折畳まれ袋体３の側面４が第２折目６で折畳まれた際に枠体２の下端縁２ｃと第２折目６とのなす角であり、３０〜６０°好ましくは４０〜５０°の角度で形成されている。そのため、袋体３の側面４を拡開した際には、図２に示すように、枠体２の内壁２ａで挟まれた側面４の第１折目５における内角はθの２倍となる。
７，７は枠体２の一対の第１折目５，５の間に縦方向にミシン目等で形成された一対の第３折目であり、第１折目５，５とともに広げると枠体２の平面形状が四角形状の筒状に形成される。なお、第３折目７，７は任意の位置に形成することができるが、本実施の形態においては、第３折目７，７が第１折目５，５の間の枠体２を２等分する箇所に形成されているので、枠体２を平面形状が方形状になるように広げることができる。
８は袋体３の側面４に一体に形成された収納部である。本実施の形態においては、袋体３が、頂角を挟む２辺の長さが等しい２枚の二等辺三角形の２辺で互いに接着、溶着若しくは一体に形成することによって袋状に形成されているので、枠体２を広げると、図１に示すように、二等辺三角形の頂部の近傍の部分が収納部８として機能する。
【００３７】
以上のように構成された本発明の実施の形態１におけるペット用トイレについて、図面を参照しながら、以下その使用方法を説明する。
図４は実施の形態１におけるペット用トイレに糞尿処理材を収納し折畳んだ状態を示す側面図であり、図５は糞尿処理材が収納されたペット用トイレを拡開して床面に載置した状態を示す斜視図である。
図中、９，９は枠体２の第１折目５，５と第３折目７，７との間に縦方向にミシン目等で形成された第４折目、１０は紙製、おが屑等の木製、ベントナイト，シリカゲル，ゼオライト等の無機材料、おから等の食品廃棄物、石炭灰等の産業廃棄物等で粒状や砂状等に形成されペットが排泄した糞尿の悪臭を除去したり糞尿を固化する糞尿処理材であり、袋体３の収納部８に予め収納されている。
なお、第４折目９，９は任意の位置に形成することができるが、本実施の形態においては、第４折目９，９が第１折目５と第３折目７の間の枠体２を２等分する箇所に形成されているので、枠体２をコンパクトに折畳むことができる。
【００３８】
使用前は、袋体３の収納部８に所定量の糞尿処理材１０を収納した後、図４に示すように、第１折目５，５及び第２折目６，６を折畳んで枠体２及び袋体３を扁平状に形成した後、第４折目９，９を内側に折畳んでペット用トイレ１をコンパクト化する。
使用時には、第４折目９，９を左右に広げ、次いで第１折目５，５及び第３折目７，７を拡開して枠体２を広げて方形状に形成し、図５に示すように、床面に枠体２の下端縁２ｃ及び袋体３の側面４を当接させながら袋体３の収納部８を下から軽く叩くようにして、袋体３内の糞尿処理材１０を側面４の上に略均一の厚さに広げ、ペット用トイレ１を床面に載置する。枠体２の第１折目５の内側には所定の厚さに広げられた糞尿処理材１０があるので、枠体２は、第１折目５における枠体２の開度がθの２倍より狭くならないように拘束される。
使用後（糞尿処理材がペットの糞尿を吸収した後）は、図４に示すように、糞尿処理材１０を袋体３に収納したままの状態で、第１折目５，５及び第２折目６，６を折畳んで枠体２及び袋体３を扁平状に形成した後、第４折目９，９を内側に折畳みコンパクト化した後、必要に応じて枠体２の開口部を粘着テープ等で密封して廃棄することができる。
【００３９】
以上のように、実施の形態１におけるペット用トイレは構成されているので、以下のような作用が得られる。
（１）筒状に形成された枠体２と、枠体２に側面４が貼着された袋体３と、を有しているので、使用時には袋体３の側面４を枠体２で支持して立設させることができ、袋体３の内面側に糞尿処理材１０を収容することで、ペットが中に入って排泄した糞尿等を糞尿処理材が吸収するトイレにすることができ、使用後には、使用済みの糞尿処理材１０を枠体２や袋体３と一緒にして廃棄することができ使用性に優れる。
（２）枠体２と枠体２に貼着された袋体３とで構成されているので、軽量にすることができ携帯性に優れる。
（３）枠体２に第１折目５が形成されているので、枠体２を折畳んで扁平状にして枠体２を平面状にすることができ嵩を小さくできるので保管性や携帯性に優れる。
（４）袋体３が扁平状に折畳まれた際に枠体２の下端縁２ｃとのなす角θが３０〜６０°好ましくは４０〜５０°に形成される一対の第２折目６が枠体２の第１折目５の延長上に貼着されているので、使用時に枠体２及び袋体３を拡開して床に載置すると、袋体３の側面４が床に当接する底面を形成して底面の縁部に枠体２が立設した状態になる。底面の縁部に立設した枠体２は、収容された糞尿処理材１０によって拘束され閉じ難くなるので、第１折目５の下端部を中心にして６０〜１２０°好ましくは８０〜１００°の角度で広がった状態を保ち、枠体２を床の上に安定して自立させることができる。
（５）枠体２が夫々相対向した第１折目５及び第３折目７を備えているので、枠体２を四角形状に広げることができ、ペットが枠体２を蹴飛ばしても倒れ難く安定に自立させることができる。
（６）枠体２を四角形状に大きく開口させて拡開させることができるので、ペットの出入りが容易で、かつ、多くの糞尿処理材１０を収容させて多量の糞尿を吸収させることができる。
（７）袋体３の側面４に収納部８に糞尿処理材を入れて袋体３及び枠体２を折畳んだときに、多量の糞尿処理材１０を収納部８内に収納することができる。使用時に枠体２及び袋体３を広げて床面に載置し、袋体３の側面４を床面に当接する底面にして底面の縁部に枠体２が立設した状態にしたとき、収納部８に収納された多量の糞尿処理材１０が底面に所定の厚さで広がるので、底面の縁部に立設した枠体２を糞尿処理材１０によって拘束して閉じ難くすることができ、枠体２を床の上に安定して自立させることができる。これにより、保管時には折畳んだ状態で多量の糞尿処理材１０を収納させることができるので、使用時に広げるだけで、十分な量の糞尿処理材１０が収容されたペット用トイレを形成することができる。
（８）枠体２に第４折目９が形成されているので、枠体２を折畳んでよりコンパクトにすることができ保管性や携帯性に優れる。
（９）袋体３に糞尿処理材１０が収納されているので、使用時に枠体２を広げて床に載置するだけですぐに使用することができ、別に糞尿処理材１０を準備する必要がなく使用性に優れる。
（１０）袋体３が、頂角を挟む２辺の長さが等しい二等辺三角形に形成された２枚のフィルム状又はシート状で形成されているので、容易に生産することができ生産性に優れるとともに、折畳んだ際に完全に扁平状にすることができ携帯性及び保管性に優れる。
【００４０】
なお、実施の形態１においては、袋体３が、２枚の二等辺三角形に形成されたフィルム状又はシート状で形成されている場合について説明したが、一つの角を挟む２辺の長さが等しく、一つの角に対向する他の角を挟む他の２辺の長さが等しい四角形の２枚のフィルム状又はシート状で形成される場合もある。この場合は、折畳んだ際に完全な扁平状ではないが略扁平状にすることができ、また枠体を広げると袋体を略四角錐状に広げることができるので、実施の形態１に記載した作用と同様の作用が得られる。
【００４１】
（実施の形態２）
図６は本発明の実施の形態２におけるペット用トイレを折畳んだ状態を示す平面図である。なお、実施の形態１で説明したものと同様のものは、同じ符号を付して説明を省略する。
図６において、１ａは実施の形態２におけるペット用トイレ、３ａは合成樹脂製や撥水加工がされた紙製等で通液性を有さないフィルム状やシート状に形成され開口部側が枠体２に貼着された袋体、４ａは第１折目５を折畳んで袋体３を略扁平状に折畳んだときに略半円状に形成された袋体３ａの側面である。袋体３ａは、略半円状に形成された２枚のフィルム状又はシート状の曲線部が互いに接着され、若しくは溶着され、又は一体に形成されて袋状に形成されている。
実施の形態２のペット用トイレは、実施の形態１のペット用トイレの袋体が二等辺三角形に形成されたフィルム状又はシート状の２枚で形成されているのと異なり、略半円状に形成されたフィルム状又はシート状の２枚で形成されている。
この相違によって、実施の形態２におけるペット用トイレは、図１や図２に示すように枠体２を広げた際に、実施の形態１で説明した収納部８を形成させることができず、袋体３ａに予め糞尿処理材を収納しておくことができないため、枠体２及び袋体３ａを広げて床面の上に載置し、次いで枠体２の内側に糞尿処理材を所定の厚さになるように撒くことにより自立させてペット用トイレとして使用することができる。
これにより、実施の形態２におけるペット用トイレは、ペット用トイレ１ａ（枠体２と袋体３ａ）を使い捨てにするのではなく、ペットの糞尿を吸収した糞尿処理材を廃棄し新しい未使用の糞尿処理材と交換することによって枠体２と袋体３ａを複数回使用する場合に適している。
【００４２】
なお、袋体３ａの側面４ａを、伸縮性を有するゴム製等で形成することによって収納部にすることができる。
【００４３】
（実施の形態３）
図７は本発明の実施の形態３におけるペット用トイレを折畳んだ状態を示す平面図である。なお、実施の形態１で説明したものと同様のものは、同じ符号を付して説明を省略する。
図７において、１ｂは実施の形態３におけるペット用トイレ、３ｂは合成樹脂製や撥水加工がされた紙製等で通液性を有さないフィルム状やシート状に形成され開口部側が枠体２に貼着された袋体、８ａは側面４に膨出状に延設された収納部である。
【００４４】
以上のように、実施の形態３におけるペット用トイレは構成されているので、実施の形態１に記載の作用に加え、以下のような作用が得られる。
（１）収納部８ａの大きさを自在に大きくすることができるので、使用後にペット用トイレを折畳んでペットの糞尿とともに廃棄する際、ペットの糞の分だけ嵩が増えても余裕をもって袋体３ｂ内に収納して廃棄することができ使用性に優れる。
【００４５】
（実施の形態４）
図８は本発明の実施の形態４におけるペット用トイレを床面に載置した状態を示す斜視図である。
図８において、１ｃは実施の形態４におけるペット用トイレ、２ｄは板紙や合成樹脂製の薄板等で円筒状に形成された枠体、３ｃは合成樹脂製や撥水加工がされた紙製等で通液性を有さないフィルム状やシート状に形成された袋体、４ｃは枠体２ｄに貼着された袋体３ｃの側面、１１は枠体２ｄの上端縁から下端縁に渡って形成された連結部を有するミシン目である。
ここで、本実施の形態においては、枠体２ｄの高さは、５〜３０ｃｍ好ましくは８〜１５ｃｍに形成されており、枠体２ｄの外周長さは、８０〜２４０ｃｍ好ましくは１２０〜１８０ｃｍに形成されている。
【００４６】
以上のように構成された実施の形態４におけるペット用トイレについて、以下その使用方法を説明する。
使用する際には、ペット用トイレ１ｃを床面に載置した後、袋体３ｃの内側に図示しない糞尿処理材を収容する。
使用後（糞尿処理材がペットの糞尿を吸収した後）、ペット用トイレ１ｃを廃棄する際には、使用済みの図示しない糞尿処理材を廃棄した後、ミシン目１１で枠体２ｄを切断し、枠体２ｄの嵩を小さくして廃棄することができる。なお、ペット用トイレ１ｃ（枠体２ｄと袋体３ｃ）を使い捨てにするのではなく、ペットの糞尿を吸収した糞尿処理材を廃棄し新しい未使用の糞尿処理材と交換することによって枠体２ｄと袋体３ｃを複数回使用することもできる。
【００４７】
以上のように実施の形態４におけるペット用トイレは構成されているので、以下のような作用が得られる。
（１）枠体２ｄが円筒状に形成されているので、枠体２ｄを床面に安定して立設させることができる。
（２）枠体２ｄにミシン目１１が形成されているので、廃棄する際にはミシン目１１で枠体２ｄを切断すれば嵩を小さくでき廃棄物を減容できる。
（３）枠体２ｄの高さが５〜３０ｃｍ好ましくは８〜１５ｃｍに形成されているので、糞尿処理材が枠体２ｄの外に飛び散り難く、また適量の糞尿処理材を収容して吸収できる糞尿等の量を適量にでき、さらに猫等のペットが乗り越えて入り易くすることができる。
（４）枠体２ｄの外周長さが８０〜２４０ｃｍ好ましくは１２０〜１８０ｃｍに形成されているので、糞尿処理材を収容できる面積が広く猫等のペットが入り易くできるとともに、枠体をある程度コンパクトにできるので保管性や携帯性に優れる。
【００４８】
なお、実施の形態４においては、枠体２ｄにミシン目１１が形成された場合について説明したが、ミシン目１１に代えて、枠体２ｄの所定部に薄肉状にした薄肉部を形成して切断し易くしてもよい。
また、枠体２ｄの平面形状が円形の円筒状に形成された場合について説明したが、平面形状が、楕円形等の略円形、三角形，四角形等の多角形、両端が尖った円形の紡錘状、動物，花，家等を模った形状や星型，三日月型等の種々の形状等に形成されたものを用いる場合もある。これにより、ペットの種類や好み等に応じて種々の形状の枠体を形成することができ自在性に優れる。
【００４９】
（実施の形態５）
図９は実施の形態５におけるペット用トイレを拡開した状態を示す斜視図であり、図１０は実施の形態５におけるペット用トイレを重装した状態を示す斜視図である。なお、実施の形態１で説明したものと同様のものは、同じ符号を付して説明を省略する。
図９において、１ｄは実施の形態５におけるペット用トイレ、２ｅは板紙や合成樹脂製の薄板等で下端縁２ｃから上端縁に向かってわずかに拡開した筒状に形成された枠体、３ｄは合成樹脂製や撥水加工がされた紙製等で通液性を有さないフィルム状やシート状に形成され枠体２ｅに貼着された袋体、１２は袋体３ｄに延設された収納部８に複数形成された切れ目部である。
ここで、切れ目部１２の開口寸法は、収容される糞尿処理材の粒径よりも大きめに形成されている。
図１０において、１ｅは実施の形態５におけるペット用トイレ１ｄに装着されペット用トイレ１ｄを被覆するペット用トイレ、２ｆは板紙や合成樹脂製の薄板等で下端縁から上端縁に向かってわずかに拡開した筒状に形成され袋体３（切れ目部１２等が形成されていないもの）が貼着された枠体である。
【００５０】
以上のように構成された本発明の実施の形態５におけるペット用トイレについて、以下その使用方法を説明する。
ペット用トイレの使用時には、図１０に示すように、ペット用トイレ１ｅでペット用トイレ１ｄを複数重装したものを被覆する。次いで、図示しない糞尿処理材を最上の袋体３ｄ内に収容させるとともにペット用トイレ１ｄ，１ｅを床面に載置する。
使用後（糞尿処理材がペットの糞尿を吸収した後）は、図示しない糞尿処理材及び糞尿が入った最上のペット用トイレ１ｄだけを取り外す。次に、ペット用トイレ１ｅが被覆された他のペット用トイレ１ｄの上方で、糞尿処理材及び糞尿が入ったペット用トイレ１ｄを篩うようにすると、切れ目部１２の開口寸法よりも大きな寸法の塊状体（ペットが排泄した糞尿を吸収して糞尿処理材が固化したもの）や糞等が袋体３ｄ内に残り、切れ目部１２の開口寸法よりも小さな糞尿処理材（糞尿と未接触のもの）が切れ目部１２を通過し、下方のペット用トイレ１ｄ内に落下する。
ペット用トイレ１ｄ内に落下した糞尿処理材の量は、一部が塊状化して切れ目部１２を通過できないため少なくなっているので、新規の糞尿処理材を所定量追加する。
【００５１】
以上のように実施の形態５におけるペット用トイレは構成されているので、以下のような作用が得られる。
（１）枠体２ｅ，２ｆが下端縁から上端縁に向かってわずかに拡開した筒状に形成されているので、複数重装することができ応用性に優れる。
（２）袋体３ｄに切れ目部１２が形成されているので、篩のように用いることで、糞尿処理材と糞尿の水分とが接触して固化した塊状体を袋体３ｄ内に残し、切れ目部１２の開口寸法よりも外形寸法の小さな塊状化していない糞尿処理材だけを切れ目部１２を通過させることができるので、切れ目部１２を通過した糞尿が未接触の糞尿処理材を無駄なく再び使用することができ省資源性に優れる。また、糞尿が未接触の糞尿処理材を再び使用することができるので、ペットと一緒の旅行等の外出先に持参する糞尿処理材の量を少なくすることができ携帯性を高めることができる。
【００５２】
なお、実施の形態５においては、袋体３ｄに切れ目部１２が形成された場合について説明したが、孔部を形成したり袋体３ｄを網状で形成する場合もある。これらの場合も同様の作用が得られる。
【産業上の利用可能性】
【００５３】
本発明は、猫，犬等のペットが内側に収容された糞尿処理材の上で排泄を行うことのできるペット用トイレに関し、使用時には袋体の側面を枠体で支持して立設させてペットが中に入って排泄した糞尿等を糞尿処理材が吸収するトイレにすることができ、使用後には使用済みの糞尿処理材を枠体や袋体と一緒にして廃棄することができ洗浄したり乾燥させたりする手間を一切必要とせず使用性に優れ、また軽量にでき携帯性に優れるペット用トイレを提供することができる。
【図面の簡単な説明】
【００５４】
【図１】実施の形態１におけるペット用トイレの枠体を広げた状態を示す斜視図
【図２】図１のペット用トイレの平面図
【図３】枠体を折畳んだ状態を示すペット用トイレの平面図
【図４】実施の形態１におけるペット用トイレに糞尿処理材を収納し折畳んだ状態を示す平面図
【図５】糞尿処理材が収納されたペット用トイレを床面に載置した状態を示す斜視図
【図６】実施の形態２におけるペット用トイレを折畳んだ状態を示す平面図
【図７】実施の形態３におけるペット用トイレを折畳んだ状態を示す平面図
【図８】実施の形態４におけるペット用トイレを床面に載置した状態を示す斜視図
【図９】実施の形態５におけるペット用トイレの枠体を広げた状態を示す斜視図
【図１０】実施の形態５におけるペット用トイレを重装した状態を示す斜視図
【符号の説明】
【００５５】
１，１ａ，１ｂ，１ｃ，１ｄ，１ｅ  ペット用トイレ
２，２ｄ，２ｅ，２ｆ  枠体
２ａ  内壁
２ｂ  外壁
２ｃ  下端縁
３，３ａ，３ｂ，３ｃ，３ｄ  袋体
４，４ａ，４ｃ  側面
５  第１折目
６  第２折目
７  第３折目
８，８ａ  収納部
９  第４折目
１０  糞尿処理材
１１  ミシン目
１２  切れ目部
【図１】
2005176715.tif 000003
【図２】
2005176715.tif 000004
【図３】
2005176715.tif 000005
【図４】
2005176715.tif 000006
【図５】
2005176715.tif 000007
【図６】
2005176715.tif 000008
【図７】
2005176715.tif 000009
【図８】
2005176715.tif 000010
【図９】
2005176715.tif 000011
【図１０】
2005176715.tif 000012